【手続補正書】
【提出日】平成20年9月12日(2008.9.12)
【手続補正１】
【補正対象書類名】明細書
【補正対象項目名】特許請求の範囲
【補正方法】変更
【補正の内容】
【特許請求の範囲】
【請求項１】  複数の宛先に対してデータパケットの順序付けられた送信を行う送信デバイスにおいて、
送信手段と、
データパケット順序付け手段と、
宛先に対するデータパケットの送信が宛先において間違った順序で受信された可能性があるか否かをそれぞれ示す各宛先の送信阻止状態を記憶する状態テーブルと、
送信手段およびデータパケット順序付け手段に結合され、データパケットを解析する送信管理インターフェースとを具備しており、この送信管理インターフェースは、状態テーブルからの特定の宛先の送信阻止状態を検査することにより特定の宛先をターゲットにされたデータパケットを送信するか、あるいは特定の宛先に対するデータパケットの送信を阻止するかを決定する送信デバイス。
【請求項２】  各データパケットは、
状態テーブル中の送信阻止状態に対応した固有識別子と、
状態テーブル中の特定の宛先の送信阻止状態が変更されるべきか否かを示す宛先状態変更コードとを含んでいる請求項１記載の送信デバイス。
【請求項３】  送信管理インターフェースは、インデックスを含んでいる固有識別子によって送信阻止状態を検査する請求項２記載の送信デバイス。
【請求項４】  送信管理インターフェースは特定の宛先の送信阻止状態を変更し、データパケットの宛先状態変更コードにしたがってデータパケットを送信する請求項２記載の送信デバイス。
【請求項５】  送信管理インターフェースはデータパケットをデータパケット順序付け手段から個々に受信し、そのデータパケットを送信手段に転送するように構成されている請求項１記載の送信デバイス。
【請求項６】  データパケット順序付け手段は、
データパケットを待ち行列に入れ、必要ならば、送信管理インターフェースにしたがってデータパケットを再度待ち行列に入れるデータパケットマニプレータを含んでいる請求項１記載の送信デバイス。
【請求項７】  状態テーブルは宛先マスクビットアレイを含んでいる請求項１記載の送信デバイス。
【請求項８】  送信デバイスは無線通信ネットワーク内のアクセスポイントである請求項１記載の送信デバイス。
【請求項９】  送信デバイスは無線通信ネットワーク内のステーションである請求項１記載の送信デバイス。
【請求項１０】  無線通信ネットワークはアドホックネットワークである請求項９記載の送信デバイス。
【請求項１１】  複数の宛先に対してデータパケットの順序付けられた送信を行う送信デバイスにおいて、
送信手段と、
データパケット順序付け手段と、
宛先に対するデータパケットの送信が宛先において間違った順序で受信された可能性があるか否かをそれぞれ示す各宛先の送信阻止状態を記憶する状態テーブルと、
送信手段に結合され、状態テーブルからの第１の宛先および第２の宛先の各送信阻止状態にしたがって第１の宛先に対するデータパケットの送信を阻止する一方で第２の宛先に対するデータパケットの送信を可能にする送信管理インターフェースとを具備している送信デバイス。
【請求項１２】  複数の宛先に対してデータパケットの順序付けられた送信を行う方法において、
第１の宛先をターゲットにされた１以上のデータパケットを、１以上の他の宛先をターゲットにされた１以上のデータパケットと共に待ち行列に入れ、
宛先送信阻止状態テーブルおよび宛先状態変更コードにしたがってデータパケットを送信すべきか否かを決定するステップを含んでおり、この宛先送信阻止状態テーブルは特定の宛先が送信阻止しているか否かを示し、宛先状態変更コードはデータパケット中に記憶され、特定の宛先における送信阻止が維持されるべきか否かを示している方法。
【請求項１３】  複数の宛先に対してデータパケットの順序付けられた送信を行う方法において、
１つの宛先をターゲットにされた１以上のデータパケットを、１以上の他の宛先をターゲットにされた１以上のデータパケットと共に待ち行列に入れ、
その１つの宛先をターゲットにされた第１のデータパケットの送信が失敗した場合には、その１つの宛先に対するデータパケットのそれ以上の送信を阻止し、このような事象の発生はさらに別の送信が１つの宛先において間違った順序で受信された可能性があるか否かをそれぞれ示しており、
１以上の他の宛先をターゲットにされた１以上の他のデータパケットの送信を可能にするステップを含んでいる方法。
【請求項１４】  １以上の他の宛先をターゲットにされた１以上の他のデータパケットの後に、第１のデータパケットを再度待ち行列に入れるステップをさらに含んでいる請求項１３記載の方法。
【請求項１５】  １つの宛先をターゲットにされた他のいずれのデータパケットより先に、第１のデータパケットを再度待ち行列に入れるステップをさらに含んでいる請求項１３記載の方法。
【請求項１６】  その１つの宛先に対する第１のデータパケットの送信を阻止しないステップをさらに含んでいる請求項１３記載の方法。
【請求項１７】  第１のデータパケットが再度待ち行列に入れられたことに応答して、その１つの宛先に対する第１のデータパケットの送信を阻止しないステップをさらに含んでいる請求項１４記載の方法。
【請求項１８】  その１つの宛先をターゲットにされた他のいずれのデータパケットより先の送信優先権を第１のデータパケットに割当てるステップをさらに含んでいる請求項１３記載の方法。
【請求項１９】  その１つの宛先に対する第１のデータパケットの送信を阻止しないステップをさらに含んでいる請求項１８記載の方法。
【請求項２０】  第１のデータパケットが送信優先権を割当てられたことに応答して、その１つの宛先に対する第１のデータパケットの送信を阻止しないステップをさらに含んでいる請求項１９記載の方法。
【請求項２１】  第２のデータパケットを、その１つの宛先に送信される次のデータパケットとして指定し、
第２のデータパケットに応答して、その１つの宛先へのデータパケットの送信を阻止しないステップをさらに含んでいる請求項１３記載の方法。
【請求項２２】  第２のデータパケットは、その１つの宛先に対する前の失敗した送信からのデータパケットである請求項２１記載の方法。
【請求項２３】  第２のデータパケットは、その１つの宛先に対する前の失敗した送信から廃棄されたデータパケットに後続していたデータパケットである請求項２１記載の方法。
【請求項２４】  第２のデータパケットは、その１つの宛先に対する前の失敗した送信からのデータパケットの修正されたバージョンである請求項２１記載の方法。
【請求項２５】  複数の宛先に対してデータパケットの順序付けられた送信を行う方法において、
最初に１つの宛先をターゲットにされた１以上のデータパケットを１以上の他の宛先をターゲットにされた１以上のデータパケットと共に含んでいる送信待ち行列を設けて、更新し、
その１つの宛先をターゲットにされた第１のデータパケットの送信が失敗した場合、その１つの宛先に対するデータパケットのそれ以上の送信を阻止し、このような事象の発生はさらに別の送信が１つの宛先において間違った順序で受信された可能性があるか否かをそれぞれ示しており、
１以上の他の宛先をターゲットにされた１以上の他のデータパケットの送信を可能にするステップを含んでいる方法。
【請求項２６】  その１つの宛先をターゲットにされた第１のデータパケットおよび他のいずれかのデータパケットを送信待ち行列において再配置するステップをさらに含んでいる請求項２５記載の方法。
【請求項２７】  その１つの宛先をターゲットにされた第１のデータパケットおよび他のいずれのデータパケットを送信待ち行列において再配置するステップをさらに含み、第１のデータパケットはその１つの宛先をターゲットにされた他のいずれかのデータパケットの前に配置される請求項２５記載の方法。
【請求項２８】  第１のデータパケットが送信待ち行列において再配置されたことに応答して、その１つの宛先に対する第１のデータパケットの送信を阻止しないステップをさらに含んでいる請求項２５記載の方法。
【請求項２９】  その１つの宛先をターゲットにされた第１のデータパケットおよび他のいずれかのデータパケットの相対的な順序を送信待ち行列内で維持しながら、その１つの宛先をターゲットにされた第１および他のいずれかのデータパケットを送信待ち行列において再配置するステップをさらに含んでいる請求項２５記載の方法。
【請求項３０】  その１つの宛先に対する第１のデータパケットの送信を阻止しないステップをさらに含んでいる請求項２５記載の方法。